(57)【要約】【課題】  集塵フードを備えた作業台と集塵機とを別ユニットに構成して、これ等を組合せて使用したり、分離して使用できるように工夫することによって、集塵機能を備えた作業台として使用したり、集塵機を他の装置に組付けて使用したり、或は、集塵機を独立して使用できるようにして、無駄のない経済的な設備利用を可能にした集塵フード付き作業台を提供する。【解決手段】  集塵フード本体１を作業に適した高さに支持する脚部の内側に、設置空間部４Ｈを設けて、この設置空間部４Ｈに対して、それ自体独立して使用することを可能にした集塵機１０を着脱自在に構成する。集塵機１０をこの設置空間部４Ｈに取付けると、集塵機１０の吸引口１１と、集塵フード本体１の吸引室３に設けた接続口とを接続可能にする。【選択図】      図４
2005095707.tif 000002
【特許請求の範囲】
【請求項１】
支柱状又は台状に形成した脚部によって作業に適した高さに支持された集塵フード本体と、この集塵フード本体の内部に対して吸引作用を及ぼす集塵機とによって構成した集塵フード付き作業台であって、
上記集塵フード本体を、前面を開口し、内部には多数の吸引用透孔を設けた作業テーブルを敷設すると共に、この作業テーブルの下側部に上記集塵機からの吸引作用が及ぶ吸引室を設けた構成と成し、
上記の集塵機を、上記集塵フード本体を支持する脚部の内側に設けた設置空間部に対して着脱自在に構成して、集塵機を設置空間部に取付けた際に、集塵機の吸引口と集塵フード本体の吸引室に設けた接続口とを連通接続できるように構成したことを特徴とする集塵フード付き作業台。
【請求項２】
作業テーブルの下側に設けた吸引室を左右両側に二分割形成し、断面略ホッパー状に形成した各吸引室の下端口に接続管を取付けて、これ等各接続管の先端接続口には、前記集塵機の両側に開口形成した吸引口に接続自在なフランジを設けたことを特徴とする請求項１に記載の集塵フード付き作業台。
【請求項３】
吸引室の下端口に取付けた接続管が、フレキシブル管を用いて構成されていることを特徴とする請求項２に記載の集塵フード付き作業台。
【請求項４】
集塵フード本体を支持する脚部を複数の支柱脚状又は側板状のものを用いて構成し、これ等各支柱脚又は側板の内側間隔を前記集塵機の設置空間部とすると共に、この設置空間部に設置される集塵機を、メンテナンス扉を前面側に向け、排気口側を後面側又は側面側に向けると共に、左右の吸引口を左右両側面側に向けた状態で設置するように構成したことを特徴とする請求項１、２又は３に記載の集塵フード付き作業台。
【請求項５】
集塵フード本体の最上面部に、フード天蓋を開閉自在に設けたことを特徴とする請求項１、２、３又は４に記載の集塵フード付き作業台。
【発明の詳細な説明】
【技術分野】
【０００１】
本発明は、作業台上で各種作業を行う際に生ずる塵埃を、その発生源で周囲に飛散させること無く吸引して集塵することができる集塵フード付き作業台に関するものである。
【背景技術】
【０００２】
作業台上で作業を行う際に発生する塵埃を、集塵フード内に生じる吸引作用によって集塵することができる集塵フード付き作業台に関しては、従来より、例えば特許文献１に見られる「薬塵除去装置」や、特許文献２に見られる「作業台用集塵装置」、特許文献３に見られる「排気フード付作業台」、或は、特許文献４に見られる「リネン作業台」等が存在する。
【０００３】
上記各特許文献に記載されている装置及び作業台は、いずれも作業台上で発生する塵埃を集塵機等を用いて集塵、捕集して、外部に排出するように構成されており、その主たる構成は、最上部に集塵フードを備えた作業台と、作業台の下側部に一体に取付けられていて、作業台から発生する塵埃を、作業台に設けた吸引部を通して吸引して集塵する集塵機とによって構成されている。
【０００４】
更に詳しくその構成を説明すれば、上記の作業台には多数の吸引用の透孔が形成され、塵埃がこれ等透孔及び吸引部を通って集塵機に吸引されて集塵される仕組に成っている。また、上記の特許文献中には、集塵フードの開度を調節することにより、開口部における吸引力を調整できるように構成したものや、集塵機が集塵した塵埃を、集塵機本体の前面に設けた点検扉（メンテナンス扉）から取出すことができるように構成した装置及び作業台の記載も認められる。
【特許文献１】実開昭５０−７２７７３号公報
【特許文献２】実開昭４９−５８９号公報
【特許文献３】特開平９−１０５５４３号公報
【特許文献４】特公平７−１１０３５５号公報
【発明の開示】
【発明が解決しようとする課題】
【０００５】
しかし、上記各特許文献に記載されている装置及び作業台は、いずれも作業台そのもに吸引口やフイルター、吸引ブロアー、或は、点検扉といった集塵機の機能（構成）が全て一体に組み込まれている関係上、作業台の価格に集塵機の価格が重複してコスト的に高価格に成るばかりか、年中稼働している場合はそれ程問題も無いが、稼働率が悪い場合には、高価な設備を遊ばせておく結果になるため、大変不経済な面を持っていた。
【０００６】
そこで本発明の技術的課題は、集塵フードを備えた作業台と集塵機とを別ユニットに構成して、これ等を組合せて使用したり、分離して使用できるように工夫することによって、集塵機能を備えた作業台として使用したり、集塵機を他の装置に組付けて使用したり、或は、集塵機を独立して使用できるようにして、無駄のない経済的な設備利用を可能にした集塵フード付き作業台を提供することである。
【課題を解決するための手段】
【０００７】
上記の技術的課題を解決するために本発明で講じた手段は以下の通りである。
【０００８】
（１）  本発明の請求項１に係る集塵フード付き作業台は、支柱状又は台状に形成した脚部によって作業に適した高さに支持された集塵フード本体と、この集塵フード本体の内部に対して吸引作用を及ぼす集塵機とによって構成した集塵フード付き作業台であって、上記集塵フード本体を、前面を開口し、内部には多数の吸引用透孔を設けた作業テーブルを敷設すると共に、この作業テーブルの下側部に上記集塵機からの吸引作用が及ぶ吸引室を設けた構成と成し、上記の集塵機を、上記集塵フード本体を支持する脚部の内側に設けた設置空間部に対して着脱自在に構成して、集塵機を設置空間部に取付けた際に、集塵機の吸引口と集塵フード本体の吸引室に設けた接続口とを連通接続できるように構成したことを特徴としている。
【０００９】
（２）  また、本発明の請求項２に係る集塵フード付き作業台は、作業テーブルの下側に設けた吸引室を左右両側に二分割形成し、断面略ホッパー状に形成した各吸引室の下端口に接続管を取付けて、これ等各接続管の先端接続口には、前記集塵機の両側に開口形成した吸引口に接続自在なフランジを設けたことを特徴としている。
【００１０】
（３）  また、本発明の請求項３に係る集塵フード付き作業台は、吸引室の下端口に取付けた接続管が、フレキシブル管を用いて構成されていることを特徴としている。
【００１１】
（４）  また、本発明の請求項４に係る集塵フード付き作業台は、集塵フード本体を支持する脚部を複数の支柱脚状又は側板状のものを用いて構成し、これ等各支柱脚又は側板の内側間隔を前記集塵機の設置空間部とすると共に、この設置空間部に設置される集塵機を、メンテナンス扉を前面側に向け、排気口側を後面側又は側面側に向けると共に、左右の吸引口を左右両側面側に向けた状態で設置するように構成したことを特徴としている。
【００１２】
（５）  更に本発明の請求項５に係る集塵フード付き作業台は、集塵フード本体の最上面部に、フード天蓋を開閉自在に設けたことを特徴としている。
【００１３】
上記（１）で述べた本発明の請求項１に係る集塵フード付き作業台によれば、作業台上にて塵埃が発生する作業を行う際には、作業台の脚部内に集塵機を納めて置き、作業台下方の接続口と集塵機の吸引口とを接続すれば良い。作業台で発生した塵埃は、集塵機によって集塵フード内に生じた吸引力により、作業台の多数の透孔を通して吸引され、集塵機にて捕集される。そしてクリーンな空気は集塵機後部又は側部から外部に排出される。また、集塵機の吸引口と接続口との接続は容易に外されるから、集塵機を別の塵埃処理装置等に接続して、通常の集塵装置として稼働させたり、集塵機単独で稼働させることができる。従って、設備を遊ばせることが無く、経済的にも、また、スペース的な面でも無駄を無くすことを可能にする。
【００１４】
上記（２）で述べた本発明の請求項２に係る集塵フード付き作業台によれば、作業台の下面に設けた吸引室を左右両側に二分割して設け、その各底部に集塵機の吸引力が及ぼされる接続管を設けたから、集塵フード内の作業空間における吸引バランスが良く、塵埃の吸引が効果的に行われる。また、両接続管部をフード（作業台）の両側に位置させたから、脚部内スペースを利用して集塵機が納められ、全体的に省スペース化が実現可能となる。
【００１５】
上記（３）で述べた本発明の請求項３に係る集塵フード付き作業台によれば、接続管がフレキシブル管であることから、脚部内に集塵機を納めた際における集塵機の吸引口と作業台側の接続管部との位置決めが容易であり、集塵機の出し入れがし易くなる。
【００１６】
また、作業台の脚部内に集塵機を納めた場合でも、集塵機のメンテナンスは必要になり、またその作業性も大切であるが、上記（４）で述べた本発明の請求項４に係る集塵フード付き作業台によれば、脚部を複数の支柱脚状又は側板状のものを用いて形成し、メンテナンス扉を前方にし、排気口を後部又は側部にして集塵機を収めるように構成したから、メンテナンス扉を自在に開閉できて、作業を差し障りなく行うことを可能にする。
【００１７】
上記（５）で述べた本発明の請求項５に係る集塵フード付き作業台によれば、フードの上部に、開閉自在な天蓋を設けたから、フード内への空気流通量を自在に調整することができる。
【発明の効果】
【００１８】
以上述べた次第で、本発明に係る集塵フード付き作業台によれば、集塵フードを備えた作業台としても、或は、集塵機としても、それぞれのユニットが各々独立分離して使用することができると共に、これ等を必要に応じて組合せて使用することで、無駄のない経済的な設備利用が可能とし、又、作業に際しては設置スペースを最小限にすることを可能とし、且つ、使用勝手に優れた集塵フード付き作業台を提供することができる。
【発明を実施するための最良の形態】
【００１９】
以下に、上述した本発明に係る集塵フード付き作業台の実施の形態を図面と共に説明すると、図１は集塵フード本体に集塵機を組付けた使用時（稼働時）の状態を示した正面図、図２はその平面図、図３はその側面図を示し、また、図４は集塵フード本体から集塵機を取外した状態を示した正面図、図５はその側面図を示したものであって、これ等の図面に於いて符号１で全体的に示したのが集塵フード本体で、同じく符号１０で全体的に示したのが集塵機である。
【００２０】
上記の集塵フード本体１は、上述した各図に示すように、前面が作業用のために大きな開口部１Ｔと成っており、内部１Ｈが上記集塵機１０の吸引作用が及ぶ作業空間に成っている。１Ｅは集塵フード本体１の再上面部に開閉自在に設けた空気流通量調整用のフード天蓋で、図２において１Ｒ…はこのフード天蓋１Ｅを開閉自在に取付けた蝶番、１Ｘは集塵フード本体１の内部１Ｈが上から見えるように、上記フード天蓋１Ｅに設けた透明な窓部で、例えばアクリル板のような透明な部材を用いて構成されている。更に図３と図５において、９はフード天蓋１Ｅのフード天蓋１Ｅを閉じた状態に支持したり、その開度状態を支持することができるストッパー付きのワンタッチステーを示す。
【００２１】
また、集塵フード本体１の内部底面には、多数の吸引用透孔（図示省略）が穿設された作業テーブル２（作業台）が敷設され、且つ、この作業テーブル２の底面３Ａは略ホッパー状に造られた吸引室３に成っている。吸引室３は、図１並びに図４に示すように、中央に設けた断面略三角形状のマウント部３Ｘによって正面から見て左右２室に区画形成され、ホッパー状を成すこれ等各吸引室３，３の下端口にはフレキシブルな接続管７，７が接続されている。また、これ等各接続管７，７の下端口に接続した各接続口部８，８は、その接続口が互いに内側面を向くように略Ｌ字状に屈曲形成され、且つ、対向する各接続口には接続用のフランジ８Ａ，８Ａが形成されている。
【００２２】
４…は、上記の集塵フード本体１を作業に適した高さに支持する計４本の支柱脚であって、これ等４本の支柱脚４…によって脚部が構成されるが、脚部は図示したような脚形状の他に、例えば、側板状のものや、台枠状或はフレーム板状のものであってもよく、その形状は任意とする。
【００２３】
５は上記支柱脚４…の下端部間に架設した載置台、６…はキャスターで、各支柱脚４…の内側面間隔が集塵機１０の設置空間部４Ｈに成っており、この設置空間部４Ｈに図１並びに図３の如く集塵機１０を設置してボルト等やフック等の係止部材を用いて固定することによって、集塵機１０の吸引作用（集塵作用）を上記集塵フード本体１に及ぼすことができる仕組に成っている。
【００２４】
上記の集塵機１０は、それ自体単独で、又は、上記集塵フード本体１以外の他の集塵装置等に組付けて使用できるように構成されている。全体をボックス状に造った集塵機１０は、図面に示すように正面に開閉自在なメンテナンス扉１２を有し、その下側部には内側面に集塵用のバケット部１５を設けたダストバケット１５Ｔが引出し自在に収められている。
【００２５】
集塵機１０の内部は、図３及び図５に示すように仕切壁１０Ｚによって集塵室１０Ｄと清浄室１０Ｃの前後２室に仕切られ、集塵室１０Ｄの内部にはフイルター１４が設けられ、また、その下側部には上述した集塵用のバケット部１５が引出し自在に収められている。仕切壁１０Ｚに大きく開口した通気口の部分には、モータ１３Ｍによって回転するファン１３が取付けられていて、このファン１３が回転すると、集塵機１０の機体の左右両側面に開口した吸引口１１に吸引作用が及んで、この吸引口１１から吸引した含塵空気を上記フイルター１４に通して濾過し、濾過後の洗浄空気を清浄室１０Ｃから作業者が立つ位置の反対側の背面、又は、側面に設けた排出口（図示省略）を通して、外部に排気する仕組に成っている。
【００２６】
図５において、１１Ａは上記集塵機１０の左右両側面に開口した上記各吸引口１１に設けられた接続用のフランジで、集塵機１０を図１、図３の如く、メンテナンス扉１２を設けた正面側を前面に向けた状態にして、集塵フード本体１の設置空間部４Ｈに設置固定した後、上記フレキシブルな接続管７，７の各下端部に取付けた接続口部８，８のフランジ８Ａ，８Ａを、上記集塵機１０側の各フランジ１１Ａにネジ止め、或は、その他のワンタッチ接続手段等で接続固定すれば、集塵フード本体１に集塵機１０を連結して集塵機能を具備させることができる。
【００２７】
即ち、上記集塵機１０の取付けを終えた後、フットペタル１８を操作して上記ファン１３をモータ１３Ｍで回転すれば、ファン１３の回転による吸引作用を、上記フレキシブルな接続管７，７を通して集塵フード本体１の左右の吸引室３，３に及ぼして、多孔性の作業テーブル２の上で行われる各種作業によって発生する塵埃を、周囲に飛散させることなくその発生源で直ちに吸引して集塵することができる。尚、発生する塵埃の量や、その他の条件に合わせて、集塵機１０の左右いずれか一方の吸引口１１を塞いで、集塵フード本体１への吸引作用を少く調節することもできる。
【００２８】
また、以上の如く構成した集塵機１０は、それ自体単独で使用して集塵機能を発揮できるため、集塵フード本体１から取外した後、各吸引口１１に例えば集塵ノズル等の各種の手段を取付けて作業場等の集塵装置として使用したり、或は、他の集塵装置に組付けて、その集塵部として使用することも可能である。
【００２９】
更に図中、１６は集塵機１０のメンテナンス扉１２の前面に突出したフイルターはたき用のノブで、進退作動自在に構成したこのノブ１６の内端側には、ノブ１６の進退作動に従ってフイルター１４をはたいて、フイルター１４に付着した塵埃（ダスト）を下側のバケット部１５に払い落すことができるはたき１７が取付けられている。１Ｋは上記集塵フード本体１の側面に設けた手掛け部で、作業台の移動はこの手掛け部１Ｋに手を掛けて行う。
【００３０】
尚、図面には集塵機１０としてボックスタイプのものが示されているが、これは実施の一例であって、例えば全体を円筒形状や、その他の形状に形成したものであってもよく、その選択は任意とする。また、集塵フード本体１の設置空間部４Ｈに対する集塵機１０の着脱を容易に行えるように、固定用ボルト等の取付部材を使用せずに、設置空間部４Ｈに対して集塵機１０を嵌め合わせ式、又は、嵌込み式等の手段によって取付けるようにすることも考えられる。
【図面の簡単な説明】
【００３１】
【図１】本発明に係る集塵フード付き作業台の稼働時の状態を示した正面図。
【図２】同じく平面図。
【図３】同じく側面図。
【図４】集塵フード本体から集塵機を取外した状態を示した書面図。
【図５】同じく側面図。
【符号の説明】
【００３２】
１          集塵フード本体
１Ｈ        フード内部
２          多数の透孔を設けた作業テーブル
３          吸引室
４          支柱脚（脚部）
４Ｈ        設置空間部
７          フレキシブルな接続管
１０        集塵機
１１        吸引口
１２        メンテナンス扉
１３        ファン
１４        フイルター
１５Ｔ      ダストボックス
【図１】
2005095707.tif 000003
【図２】
2005095707.tif 000004
【図３】
2005095707.tif 000005
【図４】
2005095707.tif 000006
【図５】
2005095707.tif 000007